(57)【要約】【課題】  手軽に効率的にブラインドの洗浄を行うことができる装置及び方法を提供することである。【解決手段】  対向した一対の長さ方向側壁、長さ方向側壁の対向した両端を連結するように取り付けられた一対の横断方向側壁、及び底壁によって形成された、上面が開放した矩形の受槽と、受槽の内部に、長さ方向側壁と平行に等間隔に配置されたＮ個（Ｎ＝１，２，３，・・・）の隔壁と、隔壁によって形成される空間が連通するように、隔壁に配置された小孔と、側壁の所定箇所に設けられたプラグ付き排水口とを備えていることを特徴とするブラインド洗浄装置が提供される。【選択図】  図１
2013244149.tif 000002
【特許請求の範囲】
【請求項１】
対向した一対の長さ方向側壁、前記長さ方向側壁の対向した両端を連結するように取り付けられた一対の横断方向側壁、及び底壁によって形成された、上面が開放した矩形の受槽と、
前記側壁の所定箇所に設けられたプラグ付き排水口とを備えていることを特徴とするブラインド洗浄装置。
【請求項２】
対向した一対の長さ方向側壁、前記長さ方向側壁の対向した両端を連結するように取り付けられた一対の横断方向側壁、及び底壁によって形成された、上面が開放した矩形の受槽と、
前記受槽の内部に、前記長さ方向側壁と平行に等間隔に配置されたＮ個（Ｎ＝１，２，３，・・・）の隔壁と、
前記隔壁によって形成される空間が連通するように、前記隔壁に配置された小孔と、
前記側壁の所定箇所に設けられたプラグ付き排水口とを備えていることを特徴とするブラインド洗浄装置。
【請求項３】
請求項１に記載されたブラインド洗浄装置の前記受槽内にブラインドを置いて洗浄水を入れ、又は請求項２に記載されたブラインド洗浄装置の前記空間内にブラインドを置いて洗浄水を入れ、或いは、請求項１に記載されたブラインド洗浄装置の前記受槽内に洗浄水を入れてブラインドを置き、又は請求項２に記載されたブラインド洗浄装置の前記空間内に洗浄水を入れてブラインドを置く段階と、
前記ブラインドを前記洗浄水に一定時間浸漬しておく段階と、
前記プラグを外して、汚れた洗浄水を排出する段階と、
前記プラグを外した状態で、前記受槽内又は前記空間内にすすぎ用の水を給水する段階とを含むことを特徴とするブラインド洗浄方法。
【発明の詳細な説明】
【技術分野】
【０００１】
本発明は、汚れたブラインドを洗浄するのに使用されるブラインド洗浄装置、及びこの装置を用いて実施されるブラインド洗浄方法に関する。
【背景技術】
【０００２】
多数のスラットをラダーコードで繋ぐことによって形成されるブラインドは、遮光用として、オフィスビルに設置される他、最近では一般家庭においても普及している。
【発明の概要】
【発明が解決しようとする課題】
【０００３】
ブラインドは、時間が経過するにつれて、スラットやラダーコードに塵や異物等が付着するため、清掃する必要が生じてくるが、ブラインドは、その構造上、清掃しにくい物品である。すなわち、清掃すべきスラットが多数あり、スラットが薄くて傷つきやすく、清掃時にラダーコードを切断するおそれもある。また、特に一般家庭においてブラインドを清掃する際には、ブラインドを窓から外して台上に置くなどして作業を行うため、長時間を要する重労働となってしまう。
【０００４】
本発明は、このような状況に鑑みて開発されたものであって、手軽に効率的にブラインドの清掃すなわち洗浄を行うことができるブラインド洗浄装置及び該装置を使用するブラインド洗浄方法を提供することを目的としている。
【課題を解決するための手段】
【０００５】
本願請求項１に記載のブラインド洗浄装置は、対向した一対の長さ方向側壁、前記長さ方向側壁の対向した両端を連結するように取り付けられた一対の横断方向側壁、及び底壁によって形成された、上面が開放した矩形の受槽と、前記側壁の所定箇所に設けられたプラグ付き排水口とを備えていることを特徴とするものである。
【０００６】
本願請求項２に記載のブラインド洗浄装置は、対向した一対の長さ方向側壁、前記長さ方向側壁の対向した両端を連結するように取り付けられた一対の横断方向側壁、及び底壁によって形成された、上面が開放した矩形の受槽と、前記受槽の内部に、前記長さ方向側壁と平行に等間隔に配置されたＮ個（Ｎ＝１，２，３，・・・）の隔壁と、前記隔壁によって形成される空間が連通するように、前記隔壁に配置された小孔と、前記側壁の所定箇所に設けられたプラグ付き排水口とを備えていることを特徴とするものである。
【０００７】
本願請求項３に記載のブラインド洗浄方法は、請求項１に記載されたブラインド洗浄装置の前記受槽内にブラインドを置いて洗浄水を入れ、又は請求項２に記載されたブラインド洗浄装置の前記空間内にブラインドを置いて洗浄水を入れ、或いは、請求項１に記載されたブラインド洗浄装置の前記受槽内に洗浄水を入れてブラインドを置き、又は請求項２に記載されたブラインド洗浄装置の前記空間内に洗浄水を入れてブラインドを置く段階と、前記ブラインドを前記洗浄水に一定時間浸漬しておく段階と、前記プラグを外して、汚れた洗浄水を排出する段階と、前記プラグを外した状態で、前記受槽内又は前記空間内にすすぎ用の水を給水する段階とを含むことを特徴とするものである。
【発明の効果】
【０００８】
本発明のブラインド洗浄装置及び洗浄方法によれば、手を汚すことなく、手軽にかつ効率的にブラインドを洗浄することが可能となる。
【図面の簡単な説明】
【０００９】
【図１】本発明の好ましい実施の形態に係るブラインド洗浄装置を示した斜視図である。
【図２】図１のブラインド洗浄装置の分解斜視図である。
【図３】図３（ａ）は、図１のブラインド洗浄装置の平面図、図３（ｂ）は、図１のブラインド洗浄装置の正面図である。
【図４】図４（ａ）は、図３（ａ）の線４ａ−４ａに沿って見た断面図、図４（ｂ）は、図３（ａ）の線４ｂ−４ｂに沿って見た断面図、図４（ｃ）は、図３（ａ）の線４ｃ−４ｃに沿って見た断面図、図４（ｄ）は、図４（ｃ）においてプラグを外した状態を示した図である。
【図５】図１のブラインド洗浄装置の使用手順の例を示した一連の図である。
【図６】ブラインド洗浄装置の変形形態を示した斜視図である。
【発明を実施するための形態】
【００１０】
次に、本発明の好ましい実施の形態に係るブラインド洗浄装置について詳細に説明する。図１は、本発明の好ましい実施の形態に係るブラインド洗浄装置を示した斜視図、図２は、図１のブラインド洗浄装置の分解斜視図である。
【００１１】
図１において全体として参照符号１０で示されるブラインド洗浄装置は、対向した一対の長さ方向側壁１０ａ、１０ｂと、長さ方向側壁１０ａ、１０ｂの対向した両端を連結するように取り付けられた、対向した一対の横断方向側壁１０ｃ、１０ｃと、底壁１０ｅとを備えている。これらの壁１０ａ〜１０ｅによって、上面が開放した矩形の受槽が形成される。
【００１２】
壁１０ａ〜１０ｅによって形成される矩形の受槽の内部は、２つの隔壁１２ａ、１２ｂによって、３つの空間１４ａ〜１４ｃに仕切られている。すなわち、受槽の内部には、長さ方向側壁１０ａ、１０ｂと平行に等間隔に、２つの隔壁１２ａ、１２ｂが配置されている。
【００１３】
隔壁１２ａ、１２ｂによって仕切られた空間１４ａ〜１４ｃは、後述するように、洗浄時にブラインドが置かれる洗浄空間１４ａ〜１４ｃとなる。したがって、壁１０ａ〜１０ｅ、１２ａ、１２ｂの各寸法は、ブラインドが置かれるのに十分な空間が確保されるように選定される。
【００１４】
好ましくは、一方の横断方向側壁１０ｃに隣接して上面の一部に配置された頂壁１０ｆが設けられており、頂壁１０ｆには、各洗浄空間１４ａ〜１４ｃに連通するように、給水ホース接続口１０ｆ１がそれぞれ設けられている。頂壁１０ｆは、すすぎ時に使用する給水ホースを接続するための給水ホース接続用頂壁となる。
【００１５】
隔壁１２ａ、１２ｂの端部には、洗浄空間１４ａ〜１４ｃが相互に連通するように、小孔１２ａ１、１２ｂ１が設けられている。小孔１２ａ１、１２ｂ１の位置は、洗浄空間１４ａ〜１４ｃ内でのすすぎが良好に行われるように、対面する側の端部と反対側の端部に設けられる（すなわち、図２に示されるように、隔壁１２ａの小孔１２ａ１は、横断方向側壁１０ｄに隣接した側に設けられ、隔壁１２ｂの小孔１２ｂ１は、横断方向側壁１０ｃに隣接した側に設けられる）。
【００１６】
洗浄空間１４ｃが位置する側壁１０ｄには、排出口１６ａが設けられており、排出口１６ａに合致するプラグ（栓）１６を排出口１６ａに差し込むことによって、排出口１６ａが塞がれるようになっている。なお、洗浄空間内へのブラインドの出し入れの妨げにならないように、プラグ（栓）１６は、差し込み時に洗浄空間内への突出ができるだけ小さくなるように形成するのが好ましい。
【００１７】
次に図５を参照して、以上のように構成されたブラインド洗浄装置１０を使用してブラインドを洗浄する方法について説明する。まず最初に、洗浄空間１４ａ〜１４ｃ内に洗浄水を溜めた後、ブラインドを洗浄空間１４ａ〜１４ｃ内に置く（或いは、ブラインドを洗浄空間１４ａ〜１４ｃ内に置いた後、洗浄空間１４ａ〜１４ｃ内に洗浄水を溜めてもよい）。洗浄水は、普通の水でもよいが、洗浄液又は洗浄剤を入れた水を使用すると、洗浄効果が増大する。この状態で一定時間ブラインドを洗浄水に浸漬しておく（図５（ａ）参照）。次いで、プラグ１６を外して、汚れた洗浄水を排出する（図５（ｂ）参照）。洗浄空間１４ａ、１４ｂ内の洗浄水も、小孔１２ａ１、小孔１２ｂ１を介して、排出口１６ａから排水される。次いで、給水ホース接続口１０ｆ１にホースを接続し、洗浄空間１４ａ内に給水する。すると、水は、図５（ｃ）の矢印で示されるように、洗浄空間１４ａ〜１４ｃ内を流れ、ブラインドに付着した洗浄水等をすすいで、排出口１６ａから排出される。最後に、ブラインド洗浄装置１０からブラインドを取り出して水分を拭き取ったり、自然乾燥させたりすることによって、ブラインドの洗浄作業が完了する。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
たとえば、前記実施の形態では、３つの洗浄空間１４ａ〜１４ｃが設けられているが、洗浄空間が５つである図６（ａ）、及び洗浄空間が１つである図６（ｂ）に示されるように、洗浄空間の数を３つ以外にしてもよい。また、図示されたプラグ１６の形状、排水口１６ａの位置等は例示的にものにすぎず、他の適当な形状や位置等を採用してもよい。さらに、前記実施の形態では、給水ホース接続用頂壁１０ｆが設けられているが、給水ホース接続用頂壁１０ｆを設けずに、洗浄空間１４ａに直接ホースを介して給水するようにしてもよい。
【符号の説明】
【００２０】
１０  ブラインド洗浄装置
１０ａ、１０ｂ  長さ方向側壁
１０ｃ、１０ｄ  横断方向側壁
１０ｅ  底壁
１０ｆ  給水ホース接続用頂壁
１０ｆ１  給水ホース接続口
１２ａ、１２ｂ  隔壁
１４ａ、１４ｂ、１４ｃ  洗浄空間
１６  プラグ（栓）
１６ａ  プラグ差し込み口（排水口）
【図１】
2013244149.tif 000003
【図２】
2013244149.tif 000004
【図３】
2013244149.tif 000005
【図４】
2013244149.tif 000006
【図５】
2013244149.tif 000007
【図６】
2013244149.tif 000008